(57)【特許請求の範囲】
【請求項１】
負荷とエネルギー源との間で交換される二倍周波数リップル電力を低減させる方法であって、前記エネルギー源は単相電力調整装置を介して出力電力を前記負荷に伝えるように構成され、前記方法は、
前記電力調整装置の出力の第１ＡＣ波形の（ｉ）周波数および（ｉｉ）第１位相シフトを検出し、前記出力は前記負荷に電気的に接続され、
前記電力調整装置の平均ＡＣ出力電力を算出し、
前記電力調整装置に電気的に接続されたエネルギー貯蔵装置で第２ＡＣ波形を生成し、前記第２ＡＣ波形は、（ｉ）前記第１ＡＣ波形の前記周波数と同じ周波数、（ｉｉ）前記平均ＡＣ出力電力に基づく振幅、および（ｉｉｉ）４５°から前記第１ＡＣ波形の前記第１位相シフトに応じた量を減じたものに等しい位相シフトを有する、
方法。
【請求項２】
前記エネルギー貯蔵装置はフィルムコンデンサー、又はインダクターである、請求項１に記載の方法。
【請求項３】
前記エネルギー貯蔵装置は、前記エネルギー貯蔵装置内へ及び外への電力の流れを制御するインターフェースを介して、前記電力調整装置に連結されている、請求項１に記載の方法。
【請求項４】
前記インターフェースは電力変換器、又は電力インバーターである、請求項３に記載の方法。
【請求項５】
前記エネルギー源は光起電性配列、又は燃料電池である、請求項１に記載の方法。
【請求項６】
前記第２ＡＣ波形は、前記エネルギー貯蔵装置から前記電力調整装置へ流れる電力を調整する制御ユニットにより制御される、請求項１に記載の方法。
【請求項７】
前記第２ＡＣ波形の制御は、パルス幅変調（ＰＷＭ）、デルタ変調、又はヒステリシス制御により実施される、請求項６に記載の方法。
【請求項８】
前記エネルギー貯蔵装置は前記電力調整装置と一体となっている、請求項１に記載の方法。
【請求項９】
前記エネルギー源から供給されている前記電力は、前記電力調整装置の前記出力へ伝えられる電力と前記エネルギー貯蔵装置へ伝えられる前記電力との和である、請求項１に記載の方法。
【請求項１０】
負荷とエネルギー源との間で交換される二倍周波数リップル電力を低減させる装置であって、前記エネルギー源は単相電力調整装置を介して電気エネルギーを前記負荷に伝えるように構成され、前記装置は、
前記エネルギー源に連結され、入力電量を前記エネルギー源から受け取り、前記負荷に電気的に接続されてＡＣ出力電力を前記負荷に伝える電力調整装置と、
前記電力調整装置に電気的に接続されたエネルギー貯蔵装置と、
前記電力調整装置の出力の第１ＡＣ波形の（ｉ）周波数および（ｉｉ）第１位相シフトを検出する検知部と、
前記エネルギー貯蔵装置と前記電力調整装置の出力とに電気的に接続された制御部と、
を備え、前記制御部は、
前記電力調整装置の平均ＡＣ出力電力を算出し、
前記エネルギー貯蔵装置にて第２ＡＣ波形を生成するためのものであり、前記第２ＡＣ波形は、（ｉ）前記第１ＡＣ波形の前記周波数と同じ周波数、（ｉｉ）前記平均ＡＣ出力電力に基づく振幅、および（ｉｉｉ）４５°から前記第１ＡＣ波形の前記第１位相シフトに応じた量を減じたものに等しい位相シフトを有する装置。
【請求項１１】
前記エネルギー貯蔵装置はフィルムコンデンサー、又はインダクターである、請求項１０に記載の装置。
【請求項１２】
前記エネルギー貯蔵装置は、前記エネルギー貯蔵装置内へ及び外への電力の流れを制御するインターフェースを介して、前記電力調整装置に連結されている、請求項１０に記載の装置。
【請求項１３】
前記インターフェースは電力変換器、又は電力インバーターである、請求項１２に記載の装置。
【請求項１４】
前記エネルギー源は光起電性配列、燃料電池、又はあらゆる他のＤＣエネルギー源である、請求項１０に記載の装置。
【請求項１５】
前記第２ＡＣ波形は、前記エネルギー貯蔵装置から前記電力調整装置へ流れる電力の伝導か妨害かを行うことにより制御される、請求項１０に記載の装置。
【請求項１６】
前記第２ＡＣ波形の制御は、パルス幅変調（ＰＷＭ）、デルタ変調、又はヒステリシス制御により行われる、請求項１５に記載の装置。
【請求項１７】
エネルギー貯蔵装置は前記電力調整装置と一体となっている、請求項１０に記載の装置。
【請求項１８】
前記エネルギー源から供給されている前記電力は、前記電力調整装置の前記出力へ伝えられる電力と前記エネルギー貯蔵装置へ伝えられる前記電力との和である、請求項１０に記載の装置。
【請求項１９】
命令を有する有形のコンピュータ読取可能媒体であり、コンピュータシステムにより前記命令を実施する場合、コンピュータは、
負荷とエネルギー源との間で交換される二倍周波数リップル電力を低減させる方法であって、前記エネルギー源は単相電力調整装置を介して電力を前記負荷に伝えるように構成され、前記方法は、
前記電力調整装置の出力の第１ＡＣ波形の（ｉ）周波数および（ｉｉ）第１位相シフトを検出し、前記出力は前記負荷と電気的に接続され、
前記電力調整装置の平均ＡＣ出力電力を算出し、
前記電力調整装置に電気的に接続されたエネルギー貯蔵装置の出力にて第２ＡＣ波形を生成し、前記第２ＡＣ波形は、（ｉ）前記第１ＡＣ波形の前記周波数と同じ周波数、（ｉｉ）前記平均ＡＣ出力電力に基づく振幅、および（ｉｉｉ）４５°から前記第１ＡＣ波形の前記第１位相シフトに応じた量を減じたものに等しい位相シフトを有する、
工程を備える方法を実施する、コンピュータ読取可能媒体。
【請求項２０】
負荷とエネルギー源との間で交換される二倍周波数リップル電力を低減させる方法を実施するシステムであって、前記エネルギー源は単相電力調整装置を介して電力を前記負荷に伝えるように構成され、前記システムは、
前記電力調整装置の出力の第１ＡＣ波形の（ｉ）周波数および（ｉｉ）第１位相シフトを検出するようにプログラムされている少なくとも一つのプロセッサであって、前記出力が前記負荷と電気的に接続されている少なくとも一つのプロセッサと、
前記電力調整装置の平均ＡＣ出力電力を算出するようにプログラムされている少なくとも一つのプロセッサと、
前記電力調整装置に電気的に接続されたエネルギー貯蔵装置の出力にて第２ＡＣ波形を生成するようにプログラムされている少なくとも一つのプロセッサであり、前記第２ＡＣ波形は、（ｉ）前記第１ＡＣ波形の前記周波数と同じ周波数、（ｉｉ）前記平均ＡＣ出力電力に基づく振幅、および（ｉｉｉ）４５°から前記第１ＡＣ波形の前記第１位相シフトに応じた量を減じたものに等しい位相シフトを有する、
システム。
【発明の詳細な説明】
【技術分野】
【０００１】
本発明は、概して、スイッチング電力調整装置におけるリップル電力の打ち消しに関する。また特に、単相ＡＣ電力調整装置を介してＡＣ負荷とＤＣエネルギー源との間で交換される二倍周波数リップル電力を最小にする方法に関する。
【背景技術】
【０００２】
多くの代替のエネルギー源はほぼ一定の電力を短い期間に亘り送る。その期間は、光電池のための太陽エネルギー利用可能度又は燃料電池からの燃料供給による出力電力などの操作条件に基づき、より長い期間に亘るように変動することがある。代替のエネルギー源とは、直流電流（ＤＣ）の電力を発生するソーラーパネル及び燃料電池と、風力又は他の回転又は往復運動する発電システムとを含む。風力又は他の回転又は往復運動する発電システムは、通常は可変周波数で電力を発生し、その後整流器を使用して電力調整用にＤＣ電力を発生する。上記のＤＣ電力は電力調整装置を介して処理され、通常は固定周波数で正弦波交流（ＡＣ）電力に変換され、従来の電気グリッドに送られるか又は“オフグリッド（off-grid）”の適用のための負荷に直接送られる。住居又は中小企業で使用されている典型的な変換システムは、固定公称周波数にて正弦波電圧及び電流の単相ＡＣ電力を発生する。
【０００３】
単相ＡＣ電力系統の基本的な電気的性質では、電力の流れには平均電力部分（average power portion）と二倍周波数部分（double-frequency portion）とを両方有する。平均電力部分はエネルギー源から負荷へ有効なエネルギーを送り、二倍周波数部分は負荷と電源との間を行ったり来たり流れる。二倍周波数部分は、望ましくないリップル電力を表し、これはＤＣ電源の動作を損なうことがある。代替エネルギーシステム用の電力調整装置は好ましくは電力調整装置の入力にてリップルなしで電源から電力を流して、そして代わりに平均電力及び二倍周波数リップル電力の両方を電力出力にてＡＣ負荷に送る。エネルギー保存の原則では、上記の二倍周波数リップル電力を管理するために電力調整装置内で多少の物理的効果があることを必要とする。
【０００４】
通常、光電池及び燃料電池などのＤＣエネルギー源に使用される電力調整装置はＤＣ−ＡＣ変換器として構成されて、多くの場合インバーターと呼ばれている。単相代替エネルギーシステム用の実用的なインバーターは、二倍周波数リップル電力を管理するフィルターを含む。フィルターは、インバーターのＡＣ出力にて二倍周波数リップル電力を通させるように構成されると同時に、同様のリップル電力がＤＣエネルギー源に戻るように流れるか又は別の方法でＤＣエネルギー源に課すことを最小にする又は防止するように構成される。
【０００５】
二倍周波数のリップル電力を管理するには、エネルギーはＡＣ周波数の二倍の周波数で貯蔵及び送る必要がある。必要なエネルギーを貯蓄するために必要な電気的部品は概ね大きく、パワーインバーターにおいては最も信頼性の低い部品であることは周知である。典型的なエネルギー貯蔵部品は大きな電解コンデンサーであり、電解コンデンサーには周知の故障及び磨耗モード（failure and wearout modes）があり、それらモードは長い耐用年数に亘り信頼性のある操作をすることを阻止する。典型的な電解コンデンサーは、その最高温度及び電圧で動作に２０００時間（典型的なソーラーインバーターの適用では７ヶ月より少ない）のネームプレート評価（nameplate rating）を有することもある。インバーターは長い期間にわたり動作する必要があるため、アレニウスの式に基づく方法などの高価な負荷軽減方法は、装置の寿命を延長させるために、多くの場合動作温度及び動作電圧を限定する。さらに、当業者には周知である、現時点における最先端を行く最高技術の負荷軽減及び生産方法では、市場において確認されているように、インバーターの保証を約５年しかサポートしてない。長い期間の保証では、インバーターの寿命の間に電解コンデンサーが交換されることが通常推測される。
【０００６】
ソーラーインバーターは、アウトドア用に評価されてソーラーパネルと同梱される場合には、多くの場合高い温度で動作し、それにより故障モードを促進して、インバーターに搭載されている電解コンデンサーの寿命を減らしてしまう。インバーターは毎日太陽が出ている間だけ動作するにもかかわらず、熱ストレスによりインバーターが２５年以上持ちこたえることが阻止される。これに対して、ソーラーパネルは通常２５年以上保証されている。実際に、ソーラーパワー用のインバーターの製造者は、インバーターの寿命を２０年とすることは断固として不可能であり、それはこの部品に関する問題に大きく起因していると述べている。
【０００７】
電解コンデンサーがインバーター（power inverter）の信頼性における最も大きな制限であることは周知であり、市場においても低い信頼性が予想されていることは明白である。高出力インバーター（high power inverters）は交換可能な（現場で修理しやすい）電解コンデンサーを有するように設計され、新しい低出力インバーター（lower-power inverters）の設計は修理又は交換を促進するように簡単に取外し可能なインバーターの電子部品を特徴としており、いくつかの市場ではインバーターと共にサービス契約が慣例的に売られている。電解コンデンサーは多くの故障モードを有しているとはいえ、主要な磨耗機構はリップル電流によって自己発熱して（self-heating）、それにより寿命が短くなる。自己発熱は内部から起こるため、実際の中心の温度は室温よりも高く、有効な冷却技術の効果を限定してしまう。典型的な解決策は、一般的な８５℃と評価されているコンデンサーの代わりに１０５℃と評価されているコンデンサーを使用することであるが、これにより２０％から５０％も更に費用がかかり、これでは不完全な解決策である。
【０００８】
多くの市販のインバーターは二倍周波数リップル電力を管理するために、電解コンデンサーという形の受動フィルタリングを使用し、電解コンデンサーはコンデンサーで二倍周波数電力がリップルに変換するＤＣバスに適用される。著しい電圧リップルを課すことなく必要なエネルギー交換はサポートされる必要があるから、この受動フィルタリングの構成は二倍周波数電力をフィルターするために大きな静電容量の値を必要とする。更に、コンデンサーは比較的一定の電圧を維持するので、コンデンサーの電流は二倍周波数で流れる必要がある。
【０００９】
研究界では、アクティブフィルタリング回路は受動方法より更に効果的な代替として研究されている。アクティブフィルターの方法では、リップル電流は別の電力変換器を介して供給されている。ある一般的な方法では、コンデンサーは電力調整装置内の別の箇所にて比較的固定された電圧を維持するために使用され、いわゆる“内蔵型ＤＣバス（internal DC bus）”である。コントローラは、このコンデンサーからインバーター回路へ補償電流（compensating current）を導入して、二倍周波数リップル電力を打ち消す。電圧はほぼ固定されているので、補償電流はＡＣ電線の周波数の二倍の周波数で導入される。典型的な例では、この補償電流を光起電性（ＰＶ）配列の端子にて導入する。
【００１０】
アクティブフィルター方法は、受動方法より二つの有利な点を提供する。（１）コンデンサー電圧はＰＶ配列の電圧よりも高くてもよく、使用可能なエネルギーを増やすことができ、そして（２）ＰＶ配列よりもコンデンサーにおいて多くのリップル電力を許容できる。必要な静電容量は、下記のように示される。  
0005747504.tif 000002
ここで、Ｐは平均出力電力であり、fは基本グリッド周波数（fundamental grid frequency）であり、Ｖは平均コンデンサー電圧であり、及びΔＶは許容されるピークツーピークリップル電圧（peak-to-peak ripple voltage）である。この方法は、受動フィルターの方法より著しい静電容量の低減を招く。例えば、２００Ｖのコンデンサーバス電圧を有する１ｋＷインバーターは、コンデンサーでリップルが１５％許容されるならば、約４４０μＦしか必要でない。これは受動フィルタリングよりほぼ２０（20 reduction）の減少ではあるが、まだ大きな電解コンデンサーを必要とするほど充分に高い。
【００１１】
従って、電力調整装置における二倍周波数リップル電力を最小にし、大きな電解コンデンサーの必要性を解消し、電力調整装置の寿命を増やし、費用を低減し、従来の他の問題を解決する制御技術が必要とされている。上記や他の必要性が、当業者には本明細書を読んだ後に明確になるだろう。
【発明の概要】
【００１２】
本発明により、前述の問題は解決されて技術の進歩が実現される。本発明と一致する製造品及びシステムは、電力調整装置における二倍周波数リップル電力を最小にする方法を提供する。
【発明が解決しようとする課題】
【００１３】
負荷とエネルギー源との間で交換される二倍周波数リップル電力を最小にする方法が提供され、前記エネルギー源は単相電力調整装置を介して電力を前記負荷に伝え、前記電力調整装置はエネルギー貯蔵装置に連結されている。前記方法は、負荷（又は単相電力グリッド）に送られているように、前記電力調整装置の出力にて第１ＡＣ波形を検出する。そして、前記方法は、前記エネルギー貯蔵装置に適用される第２ＡＣ波形を生成し、ＡＣ負荷及びエネルギー貯蔵装置に送られる電力が加算された場合に二倍周波数リップル電力が最小になるようになる。生成された前記第２ＡＣ波形は前記第１ＡＣ波形と同じ周波数であり、前記第２ＡＣ波形を電力調整装置出力にて前記ＡＣ波形に対してπ／４ラジアンと同等に位相シフトする。このような周波数及び位相の選択、及び振幅の適切な選択は、ＤＣエネルギー源に課される二倍周波数リップル電力を最小にする。
【００１４】
本発明の一側面において、前記エネルギー貯蔵装置は、前記エネルギー貯蔵装置内へ及び外への電力の好ましい流れを制御するインターフェースを介して、前記電力調整装置に連結されている。
【００１５】
本発明の別の側面において、前記第２ＡＣ波形は、前記エネルギー貯蔵装置から前記電力調整装置へ流れる電力の伝導か妨害かを行うことにより生成される。つまり、電力工学の当業者には周知であるように、第２波形はスイッチング操作によってほとんど生成される。
【００１６】
更なる有利な側面において、エネルギー貯蔵装置で第３ＡＣ波形を使用して、ＤＣエネルギー源に課される二倍周波数リップル電力を最小にすることができる。前記第３ＡＣ波形は第２ＡＣ波形及びその逆（inverse）の部分的組合せ（piecewise combination）であるように適切に形成される。有利に、常に前記エネルギー貯蔵装置では正の電圧又は正の電流のどちらかを維持するように選択され得る。
【００１７】
本発明の方法を実施する装置は単相電力調整装置という形で提供され、調整装置はＤＣエネルギー源からエネルギーを引き出し、出力にＡＣ波形を送り、エネルギー貯蔵装置から第２ＡＣ波形を受信する。前記装置は、前記電力調整装置の出力にて第１ＡＣ波形を検出する検知部（sensing unit）と、前記エネルギー貯蔵装置の前記出力にて第２ＡＣ波形を生成し、前記第２ＡＣ波形は前記第１ＡＣ波形と同じ周波数であり、前記第２ＡＣ波形を前記第１ＡＣ波形の位相に対してπ／４ラジアンと同等に位相シフトして、それによって前記エネルギー源から供給されている前記電力における前記二倍周波数リップル電力を最小にする制御部（controlling unit）と、を備える。
【００１８】
本発明の他のシステム、方法、特徴及び利点は、以下の図面及び詳細な記載を検討されると、当業者には明白になるであろう。このような全ての追加のシステム、方法、特徴及び利点は、本明細書の記載の範囲内に含まれ、本発明の範囲内に含まれ、添付の請求項により保護されることを意図する。
【００１９】
本明細書に組み込まれてその一部を構成する添付の図面は、本明細書の実施を例示し、明細書の記載と共に、本発明の利点及び趣旨を説明する。
【図面の簡単な説明】
【００２０】
【図１】図１は電力系統の一実施例を例示する概略図であり、本発明と一致している電力系統は電気ＡＣグリッドに単相電力調整装置を介して接続されているＤＣエネルギー源と、エネルギー貯蔵部とを含む。
【図２】図２は本発明と一致している図１のエネルギー貯蔵部を例示するブロック図であり、図１のエネルギー貯蔵部は、二倍周波数リップル電力を管理するインターフェース部を介して電力調整装置に連結されていることを示す。
【図３】図３は、本発明と一致している、電力調整装置における二倍周波数リップル電力を最小にする制御方法を例示するフロー図である。
【発明を実施するための形態】
【００２１】
ここで添付の図面に例示されているように、本発明と一致している実施を詳細に説明する。同様もしくは同一な部分に言及する場合には、可能な限り図面及び下記の記載では同じ参照番号を使用する。
【００２２】
図１は単相ＡＣ電力系統１００の一実施例を表し、電力系統１００はエネルギー源ユニット１０２と、単相ＡＣ負荷１０６及びエネルギー貯蔵部１０８に接続されている電力調整装置１０４とを有する。ＡＣ負荷１０６は、公共電源網（utility power grid）と単相接続されていても良い。電源部１０２は、あらゆるＤＣ電力又はＤＣエネルギー生産システムでも良く、例えば、ソーラーパネル、太陽電池、燃料電池、整流器を有する風力又は回転式発電機等でもよい。エネルギー貯蔵部１０８は、コンデンサー、インダクター、超コンデンサー等であってもよい。電力調整装置１０４と一体になっている制御装置（control）は、電力が使用可能で有効な場合には、いつでもエネルギー源１０２から最大電力を引き出すことができる。制御装置は、特定のエネルギー源技術のために選択された最適な電力点（optimum power point）で動作を維持するように作用する。電力調整装置１０４は、スイッチング電力変換器、インバーターなどでも良い。電力調整装置１０４は、動作説明がプログラムされたプロセッサーを含んでも良い。
【００２３】
前述のように、この単相ＡＣ電力系統１００において、エネルギーの流れは、ＤＣエネルギー源１０２からＡＣ負荷１０６へ有効なエネルギーを送る平均電力部分と、ＡＣ負荷１０６とＤＣ電源１０２との間を前後に流れる二倍周波数部分との両方を含む。二倍周波数部分は、電力調整装置１０４の性能を損なう可能性がある望ましくないリップル電力を表している。
【００２４】
ここで図２を参照すると、エネルギー貯蔵部２０８は制御部２１０に結合されている。この二倍周波数リップル電力を管理するには、エネルギー貯蔵部２０８と制御部２１０との連結は、負荷２０６とエネルギー源２０２との間で交換されるリップル電力に正弦波の補償（sinusoidal compensation）を提供するように構成されている。電力調整装置２０４とエネルギー貯蔵部２０８とを連結するインターフェース部２１２は、エネルギー貯蔵部２０８内へ及び外へ流れる電力を制御するように構成されている。代わりに、インターフェース部２１２は、電力調整装置２０４又はエネルギー貯蔵部２０８と一体としても良い。代わりに、インターフェース部２１２及びエネルギー貯蔵部２０８は、電力調整装置２０４と一体としても良い。制御部２１０は、電力変換機、インバーター等であるインターフェース部２１２と一体でも良い。
【００２５】
二倍周波数リップル電力に必要な静電容量を最小にするためには、コンデンサーのエネルギー貯蔵の最大範囲を使用することが必須である。上記のことは、インダクター又は他のエネルギー貯蔵装置が使用されている場合にも適用され、最小の部品又はコンデンサー値を使用するのであれば、使用可能な全容量を用いる必要がある。必要事項は簡単に算出され、インダクター用の同様の算出は文献に提示されている。単相の適用で、平均出力電力Ｐ０及びＡＣ周波数がω＝２πｆの場合を考える。電流と電圧との間のあらゆる位相ずれを考慮せず、電力調整装置２０４からＡＣ負荷２０６への瞬時のＡＣ出力電力は、下記の通りである。  
0005747504.tif 000003
【００２６】
一般性を無くさず、出力電力の平均部分、Ｐ０、だけがエネルギー源２０２により供給される。従って、貯蔵ユニット２０８は、Ｐ０（ｔ）＞Ｐ０のたびに二倍周波数の項、Ｐ０ｃｏｓ（２ωｔ）、を供給し、Ｐ０（ｔ）＜Ｐ０のたびに二倍周波数の項を貯蔵することが必要とされている。リップル電力を貯蔵及び送るのに必要なエネルギー貯蔵容量は、二倍周波数リップル電力の時間積分（time integral）である。  
0005747504.tif 000004
【００２７】
ここで、ｔ１＜ｔ２＜ｔ１＋π／ωとなるように、ｔ１及びｔ２は二倍周波数リップルの半期を画定し、Ｐ０（ｔ）＝Ｐ０を満たし、その間エネルギー貯蔵部２０８内の時間エネルギー（time energy）は貯蔵されるか供給されている。  
従って、二倍周波数リップルの期間の間に必要な貯蔵エネルギーは下記と同等である。  
0005747504.tif 000005
【００２８】
６０Ｈｚシステムでは、ジュールでのエネルギー必要量はワットの平均電力の０．００２６５倍である。１００Ｗ変換器のエネルギー貯蔵の必要条件は０．２６５Ｊであり、１ｋＷのインバーターの必要条件は２．６５Ｊである。コンデンサーの電圧及び電流の波形は両方とも基本的な６０ＨｚＡＣ周波数で振幅しているにもかかわらず、貯蔵された瞬時電力（instantaneous energy）は１２０Ｈｚ、又は基本的なＡＣ周波数の二倍の周波数で、正弦波の波形に従う。
【００２９】
本発明の一実施例においてコンデンサーがエネルギー貯蔵装置２０８として使用されている場合、エネルギー貯蔵の必要条件はコンデンサーの必要条件と解釈される。定義上、コンデンサーはエネルギーを下記に従い貯蔵する。  
0005747504.tif 000006
【００３０】
任意のピークコンデンサー電圧及び必要なエネルギーにより必要なコンデンサーが決定されるが、これは電圧が必要なエネルギー波形を従うように時間の経過と共に調整されると仮定した場合である。
【００３１】
さらに、電力調整装置２０４は、図１に示すように、下記となるように単相正弦波電圧を生成できる。  
0005747504.tif 000007
単相電気負荷２０６に送られる電流は、通常、位相のずれがあり、下記の形をとる。  
0005747504.tif 000008
それにより、ＡＣ負荷２０６への出力電力は下記のようになる。  
0005747504.tif 000009
【００３２】
エネルギー貯蔵部２０８に注目すると、下記のように対応するコンデンサー電圧は波形を従うように制御することができる。  
0005747504.tif 000010
そして対応するコンデンサー電流はコンデンサー電圧から引き出した時間に比例する。  
0005747504.tif 000011
コンデンサーの瞬時電力（instantaneous capacitor power）Ｐｃ（ｔ）は下記の通りである。  
0005747504.tif 000012
【００３３】
更に、コンデンサー電力は二倍周波数リップル電力と同等にすることができ、これにより電力調整装置の出力電力とコンデンサー電力との和が、負荷電力の平均部分しか含まないようにできる。必要な関係は、下記の通りであり。  
0005747504.tif 000013
ここで、Ｐ０は負荷に供給される平均電力である。
【００３４】
エネルギー源ユニット２０２及びコンデンサーに基づくエネルギー貯蔵装置２０８により送られる電力の和が負荷Ｐ０（ｔ）に供給される電力と全く同等になるように、Ｖｃ及びθには適切な値が選択される。適当な三角恒等式（trigonometric identities）から、上記の同等は、下記のとき満たされることが示される。  
0005747504.tif 000014
これは、もしＡＣ電線と同じ周波数の制御された電圧がエネルギー貯蔵部２０８のコンデンサーに送られることができれば、上記のθの項の位相ずれは二倍周波数リップル電力を完全に相殺し、必要な結果をもたらすことができる。好都合に、最小量の静電容量、すなわち最小のコンデンサー、を使用して、二倍周波数リップルは相殺され、これによりフィルムコンデンサーなどのより信頼性の高い装置の使用が可能になる。例えば、１００Ｗインバーターは、ピークコンデンサー電圧が１００Ｖであり正しい位相が適用される場合、２６．５μＦのエネルギー貯蔵又は静電容量を必要とする。
【００３５】
典型的なグリッドに接続されている単相太陽エネルギーインバーターは位相ずれ（力率１）なしでグリッドに電流を伝え、その場合φ＝０である。コンデンサー電圧に必要な位相はθ＝４５°であることが容易に見いだされる。エネルギー貯蔵部２０８のコンデンサーへの実際の時間変動電圧（time-varying voltage）は、パルス幅変調（ＰＷＭ）などのあらゆる都合の良い手段により制御できる。一実施例では、エネルギー貯蔵部２０８は、所望のピーク値Ｖｃにて動作するように、自身の電圧で動作する別のインバーターと動作させることができる。ＰＷＭ処理は、エネルギー貯蔵部２０８のコンデンサーに課される実際の電圧の時間変動制御をもたらす。ＰＷＭ処理は、エネルギー貯蔵部２０８のコンデンサーに有効電圧値（effective voltage value）
0005747504.tif 000015
を課すように制御できるが、それはエネルギー貯蔵部２０８の別のインバーターが電圧Ｖ１から動作して、下記を満たす前提である。  
0005747504.tif 000016
これらの式は平方根を含むが、根の下の項は既知のパラメータであり、電力レベルはエネルギー源２０２の容量により予め設定されている。根は高速時間変動関数（rapid time varying functions）を含まず、実施は容易である。
【００３６】
最後の式は、設計者がコンデンサー値を指定することも可能にする。例えば、１００Ｗ評価の６０Ｈｚシステムでは、３２６Ｖのピーク電圧が使用可能な場合、５μＦのコンデンサーを使用できる。ピーク電圧が５１５Ｖを超える場合、２μＦのコンデンサーを使用できる。  
下記の式で決まる電圧は、全く同じ一連の結果をもたらすことを指摘することは重要である。  
0005747504.tif 000017
上記の電圧は、θ及びＶ１に同じ瞬時電力及び同じ必要条件を生成する。最小のインダクターとインダクターによるフィルター（inductor-based filter）の構成の必要条件とは、コンデンサーと同様であることを認識することも有用である。これを示すために、純粋な誘導性フィルターは適用電流でも駆動することができることを検討する。
【００３７】
0005747504.tif 000018
上記の応対により、もし
0005747504.tif 000019
の場合、適切な瞬時電力を送り変動を打ち消すことになる。
【００３８】
当業者には、電流波形で駆動されるコンデンサー又は電圧波形で駆動されるインダクターは、別の解決策をもたらすことは当業者には明白である。エネルギー貯蔵部２０８のコンデンサーには、下記の電流が適用される。  
0005747504.tif 000020
そして、
0005747504.tif 000021
の場合、瞬時リップル電力が伝えられる。電圧の場合と同様に、この電流はＰＷＭ処理又は他の適切な方法により制御できる。
【００３９】
更に、インダクターとコンデンサーとの組合せも可能である。このような組合せでは、Ｌ、Ｃ、及びθの所定の値を変更できるが、基本的な分析はまだ有効であり、必要な値を算出するために使用できる。
【００４０】
上記の検討では、特定の時間変動電圧が、ＡＣ出力と同じ周波数で、エネルギー貯蔵部２０８に課されて、二倍周波数リップル電力をその出力へ伝える。分析では、その結果は静電容量の最小の必要な値につながることを示す。所定の電圧はあらゆる適切な方法で課すことができるが、特に有利な方法は電圧を伝えるために低損失スイッチング電力変換器を使用することである。代わりに、電圧は周知のＰＷＭインバーター制御処理により調整することができる。
【００４１】
電源網に接続されている単相電力調整装置２０４では、位相ずれφは制御される。システム周波数及び静電容量の所定のパラメータ値では、分からない量は平均入力電力Ｐ０だけである。この電力は出力にて検知でき、又は太陽電池から流れている実際の指示電力（commanded power）として扱うことができる。二つの可能な制御モードが使用可能であるという影響がある。第１の制御モードでは、Ｐ０の値は外部の、既知の、所定の値として扱われる。適用される適当な時間変動電圧又は電流は、これら又は他の周知のパラメータにより容易に算出され、そしてコンデンサー又はインダクターに課される。これはフィードフォワードアクティブフィルター技術（feed-forward active filter technique）を表している。第２の制御モードでは、電力は電力調整装置２０４の出力にて検出され、測定された電圧及び電流の平均又は検出及び乗法により検出される。エネルギー貯蔵部２０８に課される時間変動波形は、電流及び電圧の間の中間にある波形から４５°位相ずれの方法によって（角度φ／２をもたらして）生成される。これは、本質的には、フィードバックアクティブフィルター方法（feedback active filter method）を表し、これはこの場合は伝えられる実際の電流又は電圧は従来とは異なるが、比較的従来の実施方法である。
【００４２】
ここで図３を参照すると、電力系統１００における二倍周波数リップル電力を最小にする方法を図示するフロー図３００が示されている。この方法は工程３０２で始まり、そこで系統１００は第１ＡＣ波形を電力調整装置２０４の出力にて検出する。そしてこの方法は工程３０４へと進み、そこで第２波形はエネルギー貯蔵部２０８で生成されて、第２ＡＣ波形は第１ＡＣ波形と同じ周波数である。工程３０６では、第２波形は第１ＡＣ波形の位相に対してπ／４ラジアンと同等に位相をずらして、それによってエネルギー源２０２により供給される電力の二倍周波数リップル電力を最小にする。工程３０８では、エネルギー貯蔵部２０８内へまたは外へ流れている電気エネルギーは、インターフェース部２１２の適当なスイッチング動作により制御され、ずれた第２波形を追跡し、それによって二倍周波数リップル電力を補償する。
【００４３】
従って、単相適用の代替エネルギー電力調整装置の大容量フィルター部品（bulk filtering components）としての電解コンデンサーを取り除くように、エネルギー最小戦略を使用できる。この方法では、エネルギー貯蔵部品として、フィルムコンデンサー又はインダクターを使用することを支持する。本発明の新しい側面は下記の通りである。
【００４４】
・分析により与えられるインダクター及びコンデンサーの値は、実は必要な二倍周波数リップル電力を伝えることができる最小値であるとの証明。ここで提示される戦略は、全てのリップル電力を送りながら、最低限のエネルギー貯蔵必要条件をもたらすことが厳密に証明される。  
・所望のリップル電力を伝えるように、エネルギー貯蔵部品に課されなくてはならない特定の波形の例。つまり、ＡＣ出力と同じ周波数の電圧（又は電流）波形が使用され、余分に４５°の位相ずれがある。  
・ＰＷＭ又は他の周知の電力変換処理による低損失形式の時間変動波形の実施。ＰＷＭを使用して時間変動波形を課すことの通常の処理は周知であるが、使用する特定の波形は周知ではない。  
・最小サイズのエネルギー貯蔵部品を使用し、電流又は電圧の適切な選択により、電解コンデンサーを回避できる。  
・高い信頼性のあるエネルギー貯蔵部を使用して構成できる代替エネルギー用の高い信頼性のある電力調整装置。
【００４５】
要約すると、もしエネルギー貯蔵部の全容量を使用できれば、代替エネルギーシステム用の単相電力調整装置に必要なフィルター部品を最小限の値に減少させられる。コンデンサーが一度約５０μＦより低い値を達成すると、手頃な費用でフィルムコンデンサーをそれらに実装することが可能になる。このことは、現在代替エネルギーシステムにて信頼性の主要なリミッターである電解コンデンサーの除去を支持する。フィルムコンデンサーは、電解コンデンサーより約１０００長い（1000 longer）動作寿命がある。これは、典型的な太陽インバーター及び他の代替エネルギー適用での、何十年もの動作寿命をもたらす。
【００４６】
本発明の様々な実施形態が記載されているが、本発明の範囲内であれば、当業者には更なる実施形態及び実施は可能であることは明白であるだろう。従って、本発明は、添付の請求項及びその均等物を除いて、制限されるべきではない。
【図１】
0005747504.tif 000022
【図２】
0005747504.tif 000023
【図３】
0005747504.tif 000024